(57)【特許請求の範囲】
【請求項１】
略長方形の平板状をしたブラシ台（２）の、先端部（４）を除く下面に、多数の太い第１ブラシ片（７）を疎にかつ垂直に垂下設して第1ブラシ部（６）を形成し、前記ブラシ台（２）の先端部（４）の下面に、多数の細い第２ブラシ片（１０）を密にかつ斜め前下方に延出設して第2ブラシ部（９）を形成し、型開き方向である垂直方向に対する前記第2ブラシ片（１０）の傾斜角度を、該第2ブラシ片（１０）の射出成形金型からの無理型抜き時における変形程度が弾性変形範囲内となる値に設定して、合成樹脂製一体成形物であるブラシ本体（１）を構成し、該ブラシ本体（１）の後端部に、斜め後上方に延出する柄体（１１）を連結して成る毛染用ブラシ。
【請求項２】
第1ブラシ部(6)の下面中央部の略全長さ範囲に亘った部分に、第1ブラシ片(7)のない空所部(8)を形成した請求項１記載の毛染用ブラシ。
【請求項３】
多数の第１ブラシ片(7)を、横方向に沿って千鳥足状に配列した請求項１または２記載の毛染用ブラシ。
【請求項４】
ブロック共重合ポリプロピレンで一体成形した請求項１、２または３記載の毛染用ブラシ。
【請求項５】
ブラシ本体(1)に対して柄体(11)を、着脱自在に連結した請求項１、２または３記載の毛染用ブラシ。
【請求項６】
ブラシ本体(1)を軟質合成樹脂材料で成形し、柄体(11)を硬質合成樹脂材料で成形した請求項５記載の毛染用ブラシ。
【発明の詳細な説明】
【０００１】
【発明の属する技術分野】
本発明は、クリーム状染毛剤により毛髪を染めるのに用いる毛染用ブラシに関するものである。
【０００２】
【従来の技術】
クリーム状染毛剤により毛髪を染めるのに用いる毛染用ブラシの従来技術として、実開平６−１５５３０号公報に開示された技術がある。
【０００３】
この従来技術は、第1のブラシ体のブラシ先端で構成される仮想面に対して、第2のブラシ体のブラシ先端で構成される仮想面を傾斜構造としたものであり、また第１のブラシ体のブラシが構成されているベース面に対して、第２のブラシ体のブラシが構成されているベース面を傾斜構成としたものである。
【０００４】
この従来技術においては、第１のブラシ体が構成する仮想面、またはおよび第１のブラシ体が構成されているベース面に対して、第２のブラシ体が構成する仮想面、またはおよび第２のブラシ体が構成されているベース面が傾斜していることにより、毛髪の生え際や揉み上げ等の細部の毛染めが容易であり、かつ染毛剤が頬などに付着し難い、と云う利点を発揮するものとなっている。
【０００５】
【発明が解決しようとする課題】
しかしながら、上記した従来技術にあっては、第２のブラシ体のブラシが、多数の毛材を束ね、これをブラシ台の延在部に植設してなる密毛体であるので、ブラシの製作に、複数の部材の組付け操作を必要とし、このため製作手順および部材管理が面倒となる、と云う問題があった。
【０００６】
また、第１のブラシ体が形成する仮想面に対して、第２のブラシ体が形成する仮想面が傾斜しているので、この第２のブラシ体が形成する仮想面は、第１のブラシ体が形成する仮想面の延長上から外れて位置することになり、このためブラシを目視できない状態で、第２のブラシ体を、毛髪の生え際や揉み上げ等の細部に、速やかにかつ正確に対向させることができるとは限らず、染毛剤が頬や耳に付着し難くする効果が、必ずしも充分ではない、と云う問題があった。
【０００７】
そこで、本発明は、上記した従来技術における問題点を解消すべく創案されたもので、少なくとも第１のブラシ部と第２のブラシ部とから構成されるブラシ本体を、通常のブラシと同様に、平板状のブラシ台の下面に、第一のブラシ片と第２のブラシ片とを一体成形することを技術的課題とし、もって、ブラシの簡単な成形を可能とすると共に、第１のブラシ部と第２のブラシ部とを、同じ取扱い感覚に従って使用することができるようにすることを目的とする。
【０００８】
【課題を解決するための手段】
上記技術的課題を解決する本発明の内、請求項１記載の発明の手段は、
略長方形の平板状をしたブラシ台の、先端部を除く下面に、多数の太い第１ブラシ片を疎にかつ垂直に垂下設して第1ブラシ部を形成すること、
ブラシ台の先端部の下面に、多数の細い第２ブラシ片を密にかつ斜め前下方に延出設して第2ブラシ部を形成すること、
型開き方向である垂直方向に対する第2ブラシ片の傾斜角度を、この第2ブラシ片の射出成形金型からの無理型抜き時における変形程度が弾性変形範囲内となる値に設定すること、
第１ブラシ部と第２ブラシ部とから、合成樹脂製一体成形物であるブラシ本体を構成すること、
このブラシ本体の後端部に、斜め後上方に延出する柄体を連結すること、
にある。
【０００９】
この請求項１記載の発明にあっては、頭髪の大部分に対して、従来と同様な取扱い感覚で、第１ブラシ部で染毛剤を梳きながら塗布し、毛髪の生え際や揉み上げ等の細部に対しては、第２ブラシ部で染毛剤を塗布する。
【００１０】
第2ブラシ部による、毛髪の生え際や揉み上げ等の細部に対する染毛剤の塗布は、この塗布箇所の表面に対して、ブラシ本体をやや立て気味にして、ブラシ体の先端部に位置している第2ブラシ部だけが、頭髪に接触することができる状態にして行う。
【００１１】
この第２ブラシ部で、毛髪の生え際や揉み上げ等の細部に染毛剤を塗布するに際して、第2ブラシ部の第2ブラシ片が、第1ブラシ片と同じブラシ台の下面に位置しているので、第1ブラシ部を使用している時の取扱い感覚と略等しい取扱い感覚で第2ブラシ部を取扱うことができ、それゆえ鏡を用いても目視し難い細部に対しても、無理なく容易に染毛剤を塗布できる。
【００１２】
第2ブラシ部の第2ブラシ片は、それぞれの太さが細いので、或る程度の弾性変形を無理なく行うことができ、それゆえ射出成形金型からの無理型抜き時における変形程度を弾性変形範囲内とすることが容易で、これにより射出成形金型からの無理型抜きを、安全にかつ円滑に達成することができる。
【００１３】
ブラシ台に対して、第1ブラシ片および第2ブラシ片を一体に成形したので、少なくともブラシ本体を、一回の射出成形処理により成形することができ、それだけブラシの成形が容易となる。
【００１４】
請求項２記載の発明は、請求項１記載の発明の構成に、第1ブラシ部の下面中央部の略全長さ範囲に亘った部分に、第1ブラシ片のない空所部を形成したこと、を加えたものである。
【００１５】
この請求項２記載の発明にあっては、空所部を、ブラシに対する染毛剤の注出付着箇所とすることにより、染毛剤のブラシに対する注出供給を、第1ブラシ片に邪魔されることなく、安全にかつ円滑に行うことができ、また空所部に注出された染毛剤に対して第1ブラシ片が、梳き方向から必ず対向することになるので、頭髪に対して染毛剤を均一に塗布することが容易となる。
【００１６】
請求項３記載の発明は、請求項１または２記載の発明の構成に、多数の第１ブラシ片を、横方向に沿って千鳥足状に配列したこと、を加えたものである。
【００１７】
この請求項３記載の発明にあっては、多数の第１ブラシ片が横方向、すなわち梳き方向に沿って千鳥足状に配列されているので、梳き動作中における第1ブラシ片による頭髪の保持が好適に行われ、これにより染毛剤の頭髪に対する塗布を確実に達成する。
【００１８】
請求項４記載の発明は、請求項１、２または３記載の発明の構成に、毛染用ブラシ全体を、ブロック共重合ポリプロピレンで一体成形したこと、を加えたものである。
【００１９】
この請求項４記載の発明にあっては、表面の光沢が高いので、見栄えの良い製品を得ることができ、ＭＦＲが大きいと共に低温でのスパイラルフローが大きいので、成形金型からの離型時に無理抜き状態となる第２ブラシ片を、疵付きとか不良変形を生じることなく、良好に成形することができ、そしてブラシに成形した状態で、剛性強度と衝撃強度とのバランスが良いので、安定して良好な梳き動作を得ることができる。
【００２０】
請求項５記載の発明は、請求項１、２または３記載の発明の構成に、ブラシ本体に対して柄体を、着脱自在に連結したこと、を加えたものである。
【００２１】
この請求項５記載の発明にあっては、ブラシ本体と柄体とを別々に成形することができるので、それぞれを、その機能に適合した合成樹脂材料で成形することができ、また収納時のコンパクト化を図ることができ、これにより携帯および格納が容易となる。
【００２２】
請求項６記載の発明は、請求項５記載の発明の構成に、ブラシ本体を軟質合成樹脂材料で成形し、柄体を硬質合成樹脂材料で成形したこと、を加えたものである。
【００２３】
この請求項６記載の発明にあっては、ブラシ本体を軟質合成樹脂材料で成形することにより、各ブラシ片の頭皮に対する当たりが柔らかなものとなり、その分、ブラシの使用感がよくなり、また柄体を硬質合成樹脂材料で成形することにより、ブラシの握持が安定したものとなる。
【００２４】
【発明の実施の形態】
以下、本発明の実施例を、図面を参照しながら説明する。
図１ないし図５に示したブラシは、長方形の平板状をしたブラシ台２の下面に、多数のブラシ片を垂下状に一体設したブラシ本体１と、このブラシ本体１の上面後端部から斜め後上方に延出して連結された柄体１１とを、ポリプロピレン樹脂等の成形し易い比較的硬質な合成樹脂材料で一体に成形して構成されている。
【００２５】
ブラシ本体１は、上面周端縁に、高さの低い突条状の補強縁部３を周設したブラシ台２の、先端部４を除く下面に、多数の太い第1ブラシ片７を疎にかつ垂直に垂下設して第1ブラシ部６を形成し、またブラシ台２の先端部４の下面に、多数の細い第2ブラシ片１０を密にかつ斜め前下方に延出設して第2ブラシ部９を形成して構成されている。
【００２６】
ブラシ台２は、頭髪の梳き動作が良好に達成できるように、横方向に沿ってわずかに上に反った正面断面形状(図４参照)をしていて、各第１ブラシ片７は、このわずかに湾曲したブラシ台２の下面に、垂直に垂下設されているので、先端に近づくに従って、相互間隔が拡がる状態となるのに対し、各第２ブラシ片１０は、射出成形金型からの無理型抜きを考慮して、相互に平行となるように構成されている。
【００２７】
第１ブラシ部６が形成されているブラシ台２の下面部分の中央部には、略全長さ範囲に亘って、第１ブラシ片７のない空所部８（図３参照）が形成されており、図示実施例の場合、空所部８の横幅は、二剤型染毛剤の使用に好適な値に設定されている。
【００２８】
この空所部８の周りに位置することになる第１ブラシ片７は、頭髪のつかまりを良くするために、空所部８に向かう方向に沿って千鳥足状(図３参照)に配列されている。
【００２９】
第２ブラシ片１０は、型開き方向である垂直方向に対して略６０°（図５参照）の傾斜角度を有し、その延出先端は、第１ブラシ片７の先端が位置する仮想される面上に略位置し、そしてブラシ台２の先端側に位置する列の第２ブラシ片１０の延出先端は、ブラシ台２の先端縁と等しいか、それよりもわずかに前方に突き出るものとなっていて、第２ブラシ部９による、細部に対する染毛剤の塗布を良好に行うことができるようにしている。
【００３０】
柄体１１は、ブラシ台２の上面後端部から立ち上がって湾曲した連結部１２でブラシ本体１に一体設されることにより、ブラシ本体１に対して斜め後上方に延出設されており、柄体１１の本体部分の先端部から連結部１２の上端部に懸けての部分の表面に、柄体１１を握持した指先が妄りに滑らないようにする、複数の縦突条状の滑り止め１４を設けている。
【００３１】
図１ないし図５に示した本発明の第一の実施例を、ブラシ材料として適当と思われる次の材料、すなわちブロック共重合ポリプロピレン（商品名・ノバテックＰＰ  ＢＣ０３ＧＳ）、ランダム共重合ポリプロピレン（商品名・ポリプロピレンジェイアロマー  ＰＭ９４０Ｍ）、線状低密度ポリエチレン（商品名・ノバテックＬＬ  ＵＪ４８０）、高密度ポリエチレン（商品名・ノバッテクＨＤ  ＨＪ４９０）でそれぞれ一体成形して比較した。
【００３２】
高密度ポリエチレンで成形されたブラシは、全体的に剛性が不足気味であると共に、色が曇る状態となり、そして無理抜きのため、第２ブラシ片１０に疵付きが発生することがあり、また線状低密度ポリエチレンで成形されたブラシは、離型性は全く問題ないのであるが、全体的に剛性が全く不足であり、さらにランダム共重合ポリプロピレンで成形されたブラシは、多少剛性が不足気味で、第２ブラシ片１０が少し撓み変形するので、安定した使用感が得難い。
【００３３】
これに対して、ブロック共重合ポリプロピレンで成形されたブラシは、充分な剛性を発揮して、きわめて安定した使用感を得ることができ、またＭＦＲが大きいことにより、高い成形性を得ることができると共に、低温成形が可能であるので、生産効率を高めることができ、さらに曲げ弾性率と衝撃強度の組合せのバランスが良いので、無理抜きを円滑に達成できる。
【００３４】
図６は、ブラシ本体１と柄体１１とを別体物として構成した、本発明の第二の実施例を示すもので、ブラシ本体１のブラシ台２の上面後端部中央に、前後に長く、両側面にキー溝を設けた、ブロック状の第１係合部５を設け、柄体１１の連結部１２の下端開口縁に、第１係合部５のキー溝に係止するキーを設けると共に、後側開口端に、第１係合部５の後端縁に係止する係止片を設けた前後に長い角溝状の第２係合部１３を設け、この両係合部５、１３により、ブラシ本体１と柄体１１とを、着脱自在にしている。
【００３５】
このブラシ本体１と柄体１１とを別体物として構成した場合、ブラシ本体１を、成形性の良い比較的軟質な合成樹脂材料、例えば軟質ポリエチレン樹脂で成形し、柄体１１を、比較的硬質な合成樹脂材料、例えばポリプロピレン樹脂で成形するのが良い。
【００３６】
ブラシ本体１を比較的軟質な合成樹脂材料で成形すると、第２ブラシ片１０の無理型抜きが容易となるので、無理型抜きによる不良品の発生を殆ど無くすことができ、また第２ブラシ片１０の傾斜角度をより大きくして、第２ブラシ部９の使用のし易さ高めることができ、さらに各ブラシ片７，１０の頭皮に対する当たりが柔らかくなり、これによりブラシの使用感が好ましいものとなる。
【００３７】
また、柄体１１を比較的硬質な合成樹脂材料で成形すると、その安定した自己形状保持能力により、ブラシの安定した握持を得ることができ、これにより頭髪を安定して円滑に梳くことができる。
【００３８】
【発明の効果】
本発明は、上記した構成となっているので、以下に示す効果を奏する。
請求項１記載の発明においては、第１ブラシ部と第２ブラシ部を、平板状のブラシ台の同一下面に配置したので、両ブラシ部を略等しい取扱い感覚で取扱うことができ、それゆえ例え鏡で目視できない頭髪箇所であっても、無理なく正確に染毛剤を塗布することができる。
【００３９】
第２ブラシ片を細くした分、この第２ブラシ片に弾性を付与することができ、これにより第２ブラシ片の無理型抜きを、弾性変形範囲内の変形で安全に実施することができ、ブラシ本体の製作を、簡単にかつ速やかにそして安価に達成することができる。
【００４０】
請求項２記載の発明においては、染毛剤のブラシに対する注出供給を、安全にかつ円滑に行うことができ、また空所部に注出された染毛剤に対して第1ブラシ片が、梳き方向から必ず対向することになるので、頭髪に対して染毛剤を均一に塗布するのが容易となる。
【００４１】
請求項３記載の発明においては、梳き動作中における第1ブラシ片による頭髪の保持が好適に行われ、これにより染毛剤の頭髪に対する塗布を確実に達成することができる。
【００４２】
請求項４記載の発明においては、充分な剛性と高い成形性と良好な表面光沢とにより、安定して良好な使用感を得ることができると共に、良好で効率の良い生産性を得ることができ、さらに好ましい外観体裁が得られる。
【００４３】
請求項５記載の発明においては、ブラシ本体と柄体のそれぞれを、その機能に適合した合成樹脂材料で成形することができるので、より好ましい機能および使用感を発揮させることができ、また収納時のコンパクト化を図ることができるので、携帯および格納が容易となる。
【００４４】
請求項６記載の発明においては、より好ましい使用感をえることができると共に、ブラシ本体の成形がより容易となる。
【図面の簡単な説明】
【図１】本発明の一実施例を示す、全体側面図。
【図２】図１に示した実施例の、縦断側面図。
【図３】図１に示した実施例の、底面図。
【図４】図１に示した実施例の、第１ブラシ部の拡大縦断正面図。
【図５】図１に示した実施例の、第２ブラシ部の拡大縦断側面図。
【図６】本発明の他の実施例を示す、分解全体斜視図。
【符号の説明】
１  ；  ブラシ本体
２  ；  ブラシ台
３  ；  補強縁部
４  ；  先端部
５  ；  第１係合部
６  ；  第１ブラシ部
７  ；  第１ブラシ片
８  ；  空所部
９  ；  第２ブラシ部
１０  ；  第２ブラシ片
１１  ；  柄体
１２  ；  連結部
１３  ；  第２係合部
１４  ；  滑り止め
【図１】
0004022074.tif 000002
【図２】
0004022074.tif 000003
【図３】
0004022074.tif 000004
【図４】
0004022074.tif 000005
【図５】
0004022074.tif 000006
【図６】
0004022074.tif 000007